(57)【要約】      （修正有）【課題】接続された複数の携帯端末装置のそれぞれに備わったアプリケーションの中から利用者が希望するアプリケーションを選択する操作の煩雑さを低減することができる車載装置を提供する。【解決手段】車載装置は、接続された携帯端末装置のそれぞれに備わったアプリケーションを検出するＡＰ検出部１５４と、検出されたアプリケーションを種類ごとに分類するＡＰ分類部１５６と、分類された種類ごとに一対一に対応するアイコンであって、対応するアプリケーションを区別する外周枠を有するアイコンが含まれる操作画面を作成して表示する操作画面作成部１５８、表示処理部３０、表示装置３２と、利用者によって指し示された操作画面上の位置を検出するタッチパネル２２と、利用者によって操作画面上のアイコンに含まれる外周枠が指し示されたときに、この外周枠に対応するアプリケーションを特定するＡＰ特定部１６０とを備えている。【選択図】図２
2020112935.tif 000002
【特許請求の範囲】
【請求項１】
接続された携帯端末装置のそれぞれに備わったアプリケーションを検出するアプリケーション検出手段と、
前記アプリケーション検出手段によって検出されたアプリケーションを種類ごとに分類するアプリケーション分類手段と、
前記アプリケーション分類手段によって分類された種類ごとに、一対一に対応する選択画像であって、対応するアプリケーションを区別する部分画像を有する選択画像が含まれる操作画面を表示する操作画面表示手段と、
利用者によって指し示された前記操作画面上の位置を検出するタッチパネルと、
利用者によって前記操作画面上の前記選択画像に含まれる前記部分画像が指し示されたことが前記タッチパネルによって検出されたときに、この部分画像に対応する前記アプリケーションおよび前記携帯端末装置を特定するアプリケーション特定手段と、
を備えることを特徴とする車載装置。
【請求項２】
前記アプリケーション特定手段によって特定された前記アプリケーションを起動するアプリケーション起動手段をさらに備えることを特徴とする請求項１に記載の車載装置。
【請求項３】
前記部分画像は、複数の前記携帯端末装置のそれぞれに対応する固有の色を有することを特徴とする請求項１または２に記載の車載装置。
【請求項４】
前記選択画像はアイコンであり、前記部分画像は前記アイコンをその周辺から区画する輪郭の少なくとも一部であることを特徴とする請求項１〜３のいずれか一項に記載の車載装置。
【請求項５】
前記アプリケーション特定手段は、利用者が前記操作画面に対する接触状態を維持しながら指し示す位置を、前記アイコンの中心位置からその周囲の輪郭に向けてずらすドラッグ操作を行ったときに、この輪郭に対応する前記アプリケーションを特定することを特徴とする請求項４に記載の車載装置。
【発明の詳細な説明】
【技術分野】
【０００１】
本発明は、複数の携帯端末装置が接続される車載装置に関する。
【背景技術】
【０００２】
従来から、複数の携帯端末が接続可能であり、接続された携帯端末のデバイス情報と接続履歴等に基づいて、制御対象となるアプリケーションを決定するようにした車載機器が知られている（例えば、特許文献１参照。）。この車載機器によると、携帯端末が接続されたときに、その接続履歴と携帯端末上のアプリケーションの種類に応じて、制御対象のアプリケーションを自動で決定することができる。
【先行技術文献】
【特許文献】
【０００３】
【特許文献１】特開２０１３−２０１６５３号公報
【発明の概要】
【発明が解決しようとする課題】
【０００４】
ところで、上述した特許文献１に開示された車載機器では、新たに携帯端末を接続した際に制御対象となるアプリケーションが自動で決定されるため、この自動で決定されたアプリケーション以外のアプリケーションを利用する場合には、制御対象のアプリケーションの動作を中止してから再度別のアプリケーションの動作開始を指示する必要があり、操作が煩雑になるという問題があった。特に、新たに接続された携帯端末に搭載されたアプリケーションではなく、それまで動作していたアプリケーションや、新たに接続された携帯端末以外の接続済みの携帯端末に搭載されたアプリケーションの動作開始を指示する場合を考えると、携帯端末の選択操作から再度行う必要があり、利用者が動作開始を希望するアプリケーションを選択するまでの操作がさらに煩雑となる。
【０００５】
本発明は、このような点に鑑みて創作されたものであり、その目的は、接続された複数の携帯端末装置のそれぞれに備わったアプリケーションの中から利用者が希望するアプリケーションを選択する操作の煩雑さを低減することができる車載装置を提供することにある。
【課題を解決するための手段】
【０００６】
上述した課題を解決するために、本発明の車載装置は、接続された携帯端末装置のそれぞれに備わったアプリケーションを検出するアプリケーション検出手段と、アプリケーション検出手段によって検出されたアプリケーションを種類ごとに分類するアプリケーション分類手段と、アプリケーション分類手段によって分類された種類ごとに、一対一に対応する選択画像であって、対応するアプリケーションを区別する部分画像を有する選択画像が含まれる操作画面を表示する操作画面表示手段と、利用者によって指し示された操作画面上の位置を検出するタッチパネルと、利用者によって操作画面上の選択画像に含まれる部分画像が指し示されたことがタッチパネルによって検出されたときに、この部分画像に対応するアプリケーションおよび携帯端末装置を特定するアプリケーション特定手段とを備えている。
【０００７】
複数の携帯端末装置が接続されている場合に、それぞれに備わったアプリケーションが種類ごとに分類されて選択画像が作成され、各選択画像に対応する一あるいは複数のアプリケーションが各選択画像に含まれる部分画像によって区別されるため、利用者は、選択画像とその中の部分画像を指定するだけで、複数の携帯端末装置のいずれかに備わった任意のアプリケーションを選択することができ、希望するアプリケーションを選択する操作の煩雑さを低減することが可能となる。
【０００８】
また、上述したアプリケーション特定手段によって特定されたアプリケーションを起動するアプリケーション起動手段をさらに備えることが望ましい。これにより、アプリケーション選択だけでなく選択したアプリケーションを起動するまでの操作の煩雑さも同時に低減することが可能となる。
【０００９】
また、上述した部分画像は、複数の携帯端末装置のそれぞれに対応する固有の色を有することが望ましい。同じ分類の複数のアプリケーションを色の違いで見分けることにより、アプリケーション選択時の視認性を向上させることが可能となる。
【００１０】
また、上述した選択画像はアイコンであり、部分画像はアイコンをその周辺から区画する輪郭の少なくとも一部であることが望ましい。選択画像をアイコンとすることにより、アプリケーションの種類の把握が容易となり、アプリケーション選択に要する時間を短縮することが可能となる。
【００１１】
また、上述したアプリケーション特定手段は、利用者が操作画面に対する接触状態を維持しながら指し示す位置を、アイコンの中心位置からその周囲の輪郭に向けてずらすドラッグ操作を行ったときに、この輪郭に対応するアプリケーションを特定することが望ましい。これにより、アイコンに対して行う１回のドラッグ操作で、利用者が希望するアプリケーションを選択することができ、操作の煩雑さを最小にすることができる。
【図面の簡単な説明】
【００１２】
【図１】一実施形態の車載装置の全体構成を示す図である。
【図２】連係プログラムを実行することで動作する車載装置の機能ブロックの構成図である。
【図３】携帯端末装置が接続された際に行われる連係動作の動作手順を示す流れ図である。
【図４】携帯端末装置に備わったアプリケーションの具体例を示す図である。
【図５】ＡＰ分類部による分類処理の結果を示す図である。
【図６】ＡＰ分類部による分類結果を示す図である。
【図７】操作画面作成部によって作成される操作画面の一例を示す図である。
【図８】種類Ａに対応するアイコンを抜き出して示した図である。
【図９】図８に示したアイコンを用いて利用者がいずれかのアプリケーションを指定する操作を示す図である。
【発明を実施するための形態】
【００１３】
以下、本発明を適用した一実施形態の車載装置について、図面を参照しながら説明する。
【００１４】
図１は、一実施形態の車載装置の全体構成を示す図である。図１に示すように、本実施形態の車載装置１００は、ナビゲーション処理部１０、操作部２０、タッチパネル２２、入力処理部２４、表示処理部３０、表示装置３２、デジタル−アナログ変換器（Ｄ／Ａ）４０、スピーカ４２、ＣＰＵ５０、メモリ６０、インタフェース部（ＩＦ）８０を備えている。この車載装置１００は、例えば車両に搭載されたヘッドユニットであり、ナビゲーション装置等として動作するとともに、スマートフォンなどの携帯端末装置９０Ａ等が接続されたときにこの携帯端末装置９０Ａ等に備わった（インストールされた）各種のアプリケーションを起動して連係動作を行う。
【００１５】
ナビゲーション処理部１０は、メモリ６０に記憶されている地図データを用いて車載装置１００が搭載された車両の走行を案内するナビゲーション動作を行う。このナビゲーション動作には、ＧＰＳ装置１２を用いた自車位置検出や、自車位置周辺の地図表示、目的地までの走行経路を計算する経路探索、計算した走行経路に沿って目的地までの走行を案内する経路誘導などの各動作が含まれる。
【００１６】
操作部２０は、車載装置１００に対する利用者による操作を受け付けるためのものであり、表示装置３２の周囲に配置された各種の操作キー、操作スイッチ、操作つまみ等を含んで構成されている。また、表示装置３２に各種の操作画面や入力画面が表示された時点で、これらの操作画面や入力画面の一部を利用者が指などで直接指し示すことにより、操作画面や入力画面の表示項目を選択することができるようになっており、このような操作画面や入力画面を用いた操作を可能とするために、指し示された指などの画面上の位置を検出するタッチパネル２２が備わっている。入力処理部２４は、操作部２０とタッチパネル２２を監視しており、利用者による操作内容を決定する。
【００１７】
表示処理部３０は、各種の操作画面や入力画面等を表示する映像信号を出力して表示装置３２にこれらの画面を表示するとともに、ナビゲーション処理部１０によって作成した地図画面や交差点案内画面等を表示する映像信号を出力して表示装置３２にこれらの画面を表示する。表示装置３２は、運転席と助手席の中央前方に設置されており、例えば液晶表示装置（ＬＣＤ）を用いて構成されている。
【００１８】
デジタル−アナログ変換器４０は、ナビゲーション処理部１０によって生成される案内音声等をアナログの音声信号に変換してスピーカ４２から出力する。なお、実際には、デジタル−アナログ変換器４０とスピーカ４２の間には信号を増幅する増幅器が接続されているが、図１ではこの増幅器は省略されている。
【００１９】
ＣＰＵ５０は、メモリ６０に格納された所定のプログラムを実行することにより、車載装置１００の全体を制御するとともに、携帯端末装置９０Ａ等が接続された場合にこれらと連係した動作を行う。
【００２０】
メモリ６０は、ＣＰＵ５０の動作プログラムを格納するとともに、ＣＰＵ５０の動作に必要な各種データを格納する作業領域として用いられる。ＣＰＵ５０によって実行される動作プログラムには、携帯端末装置９０Ａ等と連係するための連係プログラムが含まれている。メモリ６０は、例えば、ＲＯＭやＲＡＭ等の半導体メモリによって構成されており、これら以外にハードディスク装置などを含むようにしてもよい。
【００２１】
インタフェース部８０は、各種の外部デバイスとの間で信号（データ）の入出力処理を行う。特に、本実施形態では、外部デバイスとして携帯端末装置９０Ａ、９０Ｂ、・・・を想定しており、それらとの間が有線あるいは無線で接続される。例えば、このインタフェース部８０は、ＵＳＢインタフェース部８０Ａ、ブルートゥース・インタフェース部８０Ｂ、無線ＬＡＮモジュール８０Ｃなど（全部あるいは一部）を含んでおり、これらのいずれかに対応する通信方式で携帯端末装置９０Ａ等との間で信号の送受信が行われる。
【００２２】
ＵＳＢインタフェース部８０Ａは、ＵＳＢホストとしての車載装置１００とＵＳＢデバイスとしての携帯端末装置９０Ａ等との間で信号の入出力を行うためのものであり、ＵＳＢホストコントローラを含んでいる。ブルートゥース・インタフェース部８０Ｂは、ブルートゥース（登録商標）によって携帯端末装置９０Ａ等との間で信号の送受信を行う通信装置（ブルートゥース機器）である。無線ＬＡＮモジュール８０Ｃは、２．４ＧＨｚ帯あるいは５ＧＨｚ帯の電波を用いて無線ＬＡＮによるデータ送受信を行う。
【００２３】
図２は、連係プログラムを実行することで動作する車載装置１００の機能ブロックの構成図である。図２に示す制御部１５０は、メモリ６０に格納されている連係プログラムをＣＰＵ５０によって実行することにより動作する各種の機能を有する。具体的には、制御部１５０は、端末検出部１５２、ＡＰ（アプリケーション）検出部１５４、ＡＰ分類部１５６、操作画面作成部１５８、ＡＰ特定部１６０、ＡＰ処理部１６２を含んで構成されている。
【００２４】
端末検出部１５２は、インタフェース部８０に接続された携帯端末装置９０Ａ等を検出する。この検出は、車載装置１００の電源投入時に行われるが、その後に接続された場合にはそのタイミングで行われる。
【００２５】
ＡＰ検出部１５４は、接続された携帯端末装置９０Ａ等のそれぞれに備わったアプリケーションを検出する。なお、携帯端末装置９０Ａ等に備わった全てのアプリケーションが検出対象となるわけではなく、車載装置１００からの指示によって起動可能なアプリケーションが検出対象となる。例えば、地図表示や経路探索・誘導を行う地図アプリや、楽曲再生を行うオーディオ再生アプリ、特定のＳＮＳサービスを利用するＳＮＳアプリなどが検出対象になっている。
【００２６】
ＡＰ分類部１５６は、ＡＰ検出部１５４によって検出されたアプリケーションを種類ごとに分類する。「地図」、「オーディオ」、「ＳＮＳ」などの種類があらかじめ設定されており、上述した地図アプリが「地図」、オーディオ再生アプリが「オーディオ再生」、ＳＮＳアプリが「ＳＮＳ」に分類される。
【００２７】
操作画面作成部１５８は、ＡＰ分類部１５６によって分類された種類ごとに、一対一に対応する選択画像であって、対応するアプリケーションを区別する部分画像を有する選択画像が含まれる操作画面を作成する。この操作画面は、表示処理部３０によって表示装置３２に表示される。例えば、操作画面には、アプリケーションの種類毎に設けられたアイコンが含まれる。このアイコンが「選択画像」に対応する。また、このアイコンには、このアイコンで示される「種類」に対応する一あるいは複数のアプリケーションを区別可能な外周枠が含まれる。この外周枠が「部分画像」に対応する。アイコンを含む操作画面の具体例については後述する。
【００２８】
ＡＰ特定部１６０は、利用者によって操作画面上のアイコン（選択画像）の外周枠（部分画像）が指し示されたことがタッチパネル２２によって検出されたときに、この外周枠に対応するアプリケーションおよび携帯端末装置を特定する。
【００２９】
ＡＰ処理部１６２は、ＡＰ特定部１６０によって特定されたアプリケーションを起動する指示をこのアプリケーションが備わった携帯端末装置に向けて送る。例えば、この携帯端末装置によって、指定されたアプリケーションが実行されると、その実行画面の画像データが車載装置１００に送られて表示装置３２に表示されるとともに、表示画面３０に表示さえれた画面に対する利用者の操作指示内容をタッチパネル２２で検出した結果がこの携帯端末装置に送られる。ＡＰ処理部１６２は、このようなデータの送受信を携帯端末装置との間で行うことにより、表示系と操作系に関する動作を車載装置１００側で行い、アプリケーションの実行を携帯端末装置側で行う連係処理を実施する。この連携処理は、Android Auto（登録商標）やApple Carplay（登録商標）を想定したものであるが、必ずしもこれらに限定されるものではない。
【００３０】
上述したＡＰ検出部１５４がアプリケーション検出手段に、ＡＰ分類部１５６がアプリケーション分類手段に、操作画面作成部１５８、表示処理部３０、表示装置３２が操作画面表示手段に、ＡＰ特定部１６０がアプリケーション特定手段に、ＡＰ処理部１６２がアプリケーション起動手段にそれぞれ対応する。
【００３１】
本実実施形態の車載装置１００はこのような構成を有しており、次に、携帯端末装置９０Ａ等と連係する動作を説明する。
【００３２】
図３は、携帯端末装置が接続された際に行われる連係動作の動作手順を示す流れ図である。
【００３３】
車載装置１００が動作中に、端末検出部１５２は、新たに接続された携帯端末装置９０Ａ等を検出したか否かを判定する（ステップ１００）。未検出の場合には否定判断が行われ、この判定が繰り返される。また、新たに携帯端末装置９０等が接続されるとステップ１００の判定において肯定判断が行われる。
【００３４】
次に、ＡＰ検出部１５４は、新たに接続された携帯端末装置９０等において、検出対象となるアプリケーションを検出したか否かを判定する（ステップ１０２）。未検出の場合には否定判断が行われ、ステップ１００に戻って携帯端末装置の検出判定が繰り返される。また、検出対象のアプリケーションが検出されるとステップ１０２の判定において肯定判断が行われる。
【００３５】
次に、ＡＰ分類部１５６は、ＡＰ検出部１５４によって検出されたアプリケーションを種類ごとに分類する（ステップ１０４）。また、操作画面作成部１５８は、ＡＰ分類部１５６による分類結果を反映した操作画面を作成し（ステップ１０６）、表示する（ステップ１０８）。なお、この操作画面は、ステップ１００〜１０４において新たに検出されて分類されたアプリケーションだけでなく、既に検出済みの全てのアプリケーションを含むように作成され、表示される。
【００３６】
次に、ＡＰ特定部１６０は、操作画面内のいずれかのアプリケーションが利用者によって指示されて特定されたか否かを判定する（ステップ１１０）。特定されない場合には否定判断が行われ、ステップ１０８に戻って操作画面表示が繰り返される。また、いずれかのアプリケーションが特定されるとステップ１１０の判定において肯定判断が行われる。
【００３７】
次に、ＡＰ特定部１６０はこの特定されたアプリケーションを選択し（ステップ１１２）、ＡＰ処理部１６２はこの選択されたアプリケーションを起動して（ステップ１１４）、このアプリケーションに関する処理を行う（ステップ１１６）。
【００３８】
このように、本実施形態の車載装置１００では、複数の携帯端末装置９０等が接続されている場合に、それぞれに備わったアプリケーションが種類ごとに分類されて選択画像が作成され、各選択画像に対応する一あるいは複数のアプリケーションが各アイコン（選択画像）に含まれる外周枠（部分画像）によって区別されるため、利用者は、アイコンとその外周枠を指定するだけで、複数の携帯端末装置のいずれかに備わった任意のアプリケーションを選択することができ、希望するアプリケーションを選択する操作の煩雑さを低減することが可能となる。また、アプリケーション選択だけでなく選択したアプリケーションを起動するまでの操作の煩雑さも同時に低減することが可能となる。
【００３９】
図４は、携帯端末装置９０Ａ等に備わったアプリケーションの具体例を示す図である。例えば、３つの携帯端末装置９０Ａ、９０Ｂ、９０Ｃが検出されるものとする。
【００４０】
図４（Ａ）には、携帯端末装置９０Ａの電源を投入した際に表示される携帯端末装置９０Ａのホーム画面が示されており、この画面には、ＡＰ検出部１５４による検出対象となる３つのアプリケーションのアイコン９２ａ、９４ａ、９６ａが含まれる。また、図４（Ａ）に示す３つのアイコン９２ａ、９４ａ、９６ａに付された文字Ａ、Ｂ、Ｃは、各アイコンに対するアプリケーションの種類を示している。
【００４１】
図４（Ｂ）には、携帯端末装置９０Ｂの電源を投入した際に表示される携帯端末装置９０Ｂのホーム画面が示されており、この画面には、ＡＰ検出部１５４による検出対象となる２つのアプリケーションのアイコン９２ｂ、９４ｂが含まれる。また、図４（Ｂ）に示す２つのアイコン９２ｂ、９４ｂに付された文字Ａ、Ｂは、各アイコンに対するアプリケーションの種類を示している。
【００４２】
図４（Ｃ）には、携帯端末装置９０Ｃの電源を投入した際に表示される携帯端末装置９０Ｃのホーム画面が示されており、この画面には、ＡＰ検出部１５４による検出対象となる２つのアプリケーションのアイコン９２ｃ、９４ｃが含まれる。また、図４（Ｃ）に示す２つのアイコン９２ｃ、９４ｃに付された文字Ａ、Ｄは、各アイコンに対するアプリケーションの種類を示している。
【００４３】
図５は、ＡＰ分類部１５６による分類処理の結果を示す図である。図４（Ａ）を用いて説明したように携帯端末装置９０Ａに対応して３つのアプリケーション９２ａ、９４ａ、９６ａが検出されると、ＡＰ分類部１５６は、アプリケーション９２ａを種類「Ａ」に、アプリケーション９４ａを種類「Ｂ」に、アプリケーション９６ａを種類「Ｃ」に分類する。
【００４４】
また、図４（Ｂ）を用いて説明したように携帯端末装置９０Ｂに対応して２つのアプリケーション９２ｂ、９４ｂが検出されると、ＡＰ分類部１５６は、アプリケーション９２ｂを種類「Ａ」に、アプリケーション９４ｂを種類「Ｂ」に分類する。
【００４５】
また、図４（Ｃ）を用いて説明したように携帯端末装置９０Ｃに対応して２つのアプリケーション９２ｃ、９４ｃが検出されると、ＡＰ分類部１５６は、アプリケーション９２ｃを種類「Ａ」に、アプリケーション９４ｃを種類「Ｄ」に分類する。
【００４６】
ＡＰ分類部１５６は、新たに検出されたアプリケーションの分類が終了する毎に、図５に示す内容をこの分類処理の結果が含まれるように更新する。
【００４７】
図６は、ＡＰ分類部１５６による分類結果を示す図である。図５に示した例では、３つの携帯端末装置９０Ａ、９０Ｂ、９０Ｃに含まれる各アプリケーションが４つの種類Ａ、Ｂ、Ｃ、Ｄに分類され、その結果が図６に示されている。
【００４８】
図７は、操作画面作成部１５８によって作成される操作画面の一例を示す図である。図７に示す操作画面は、図６に示した分類結果に対応するものであり、種類Ａ、Ｂ、Ｃ、Ｄのそれぞれに対応する４つのアイコンを含んでいる。なお、アイコンに付された「Ａ」等の文字は種類を示しているが、実際のアイコンでは「Ａ」の代わりに種類Ａの内容を連想させる図柄が用いられる。また、各アイコンには、このアイコンが示す種類に対応する一あるいは複数のアプリケーションを特定して指定するための外周枠が含まれる。
【００４９】
図８は、種類Ａに対応するアイコンを抜き出して示した図である。図８には、種類Ａに対応するアイコン２００が含まれている。図６に示す例では、種類Ａに対応するアプリケーションとして、携帯端末装置９０Ａのアプリケーション９２ａと、携帯端末装置９０Ｂのアプリケーション９２ｂと、携帯端末装置９０Ｃのアプリケーション９２ｃが検出された。この検出結果を反映して、アイコン２００の外周枠２１０は、これ３つのアプリケーション９２ａ、９２ｂ、９２ｃに対応して３分割されており、それぞれの分割領域２１０Ａ、２１０Ｂ、２１０Ｃには各アプリケーションに対応する携帯端末装置９０Ａ、９０Ｂ、９０Ｃを識別するための色が付されている。例えば、図５および図６に示すように、携帯端末装置９０Ａ、９０Ｂ、９０Ｃのそれぞれに青、赤、緑の色を対応させている。このため、携帯端末装置９０Ａのアプリケーション９２ａに対応する分割領域２１０Ａに青色が、携帯端末装置９０Ｂのアプリケーション９２ｂに対応する分割領域２１０Ｂに赤色が、携帯端末装置９０Ｃのアプリケーション９２ｃに対応する分割領域２１０Ｃに緑色が付されている。このように、同じ分類の複数のアプリケーションを色の違いで見分けることにより、アプリケーション選択時の視認性を向上させることが可能となる。
【００５０】
図９は、図８に示したアイコン２００を用いて利用者がいずれかのアプリケーションを指定する操作を示す図である。利用者は、最初に指でアイコン２００の中心付近の位置２２０に触れ、その触れた状態を維持しながら、外周枠の一部である分割領域２１０Ａ上の位置２２２まで指を移動させる。その後、利用者は、この位置２２２で分割領域２１０Ａから指を離す。このようなドラッグ操作を行うことにより、アイコン２００の分割領域２１０Ａに対応する携帯端末装置９０Ａのアプリケーション９２ａを指定することができる。アイコン２００に対して行う１回のドラッグ操作で、利用者が希望するアプリケーションを選択することができ、操作の煩雑さを最小にすることができる。
【００５１】
なお、本発明は上記実施形態に限定されるものではなく、本発明の要旨の範囲内において種々の変形実施が可能である。例えば、上述した実施形態では、操作画面に含まれるいずれかのアイコンに対してドラッグ操作を行ってアプリケーションを指定する場合について説明したが、ドラッグ操作を省略して直接アプリケーションを指し示すようにしてもよい。例えば、図９に示す位置２２２を利用者が直接指で指し示すことにより、この位置２２２が含まれる分割領域２１０Ａに対応する携帯端末装置９０Ａのアプリケーション９２ａを選択して起動するようにしてもよい。
【産業上の利用可能性】
【００５２】
上述したように、本発明によれば、複数の携帯端末装置が接続されている場合に、それぞれに備わったアプリケーションが種類ごとに分類されて選択画像が作成され、各選択画像に対応する一あるいは複数のアプリケーションが各選択画像に含まれる部分画像によって区別されるため、利用者は、選択画像とその中の部分画像を指定するだけで、複数の携帯端末装置のいずれかに備わった任意のアプリケーションを選択することができ、希望するアプリケーションを選択する操作の煩雑さを低減することが可能となる。
【符号の説明】
【００５３】
１００  車載装置
２２  タッチパネル
３０  表示処理部
３２  表示装置
８０  インタフェース部（ＩＦ）
１５０  制御部
１５２  端末検出部
１５４  ＡＰ検出部
１５６  ＡＰ分類部
１５８  操作画面作成部
１６０  ＡＰ特定部
１６２  ＡＰ処理部
【図１】
2020112935.tif 000003
【図２】
2020112935.tif 000004
【図３】
2020112935.tif 000005
【図４】
2020112935.tif 000006
【図５】
2020112935.tif 000007
【図６】
2020112935.tif 000008
【図７】
2020112935.tif 000009
【図８】
2020112935.tif 000010
【図９】
2020112935.tif 000011